(57)【要約】【課題】少ない部品を使用して確実に内部への水の浸入を防止することが可能な屋外使用の通信機器等の電子機器紡錘方法および装置を提供する。【解決手段】機器筐体１１の開口部１１ａに位置して、この開口部１１ａを閉塞するカバー１３と機器筐体１１との間に、両者の接合個所を互いに密封するための防水パッキング１３が装着されている。この防水パッキン１３は、幅の広い基部１３ａおよびこの基部１３ａから突出する幅の狭い突出部１３ｂを有する略凸字状の断面を有する。防水パッキン１３の基部１３ａおよび突出部１３ｂは、それぞれカバー１２の溝条１２ａおよび機器筐体１１の溝条１１ｂに嵌め込まれるように構成される。【選択図】図１
2005268588.tif 000002
【特許請求の範囲】
【請求項１】
内部に電子回路等を収容すると共に開口部を有する機器筐体の前記開口部を、略リング状の防水パッキンを介してカバー部材で閉塞して前記機器筐体の内部への水の侵入を防止する電子機器の防水方法において、
前記機器筐体の前記開口部の外側に溝条を形成することと、該溝条に略対応する前記カバー部材の位置に別の溝条を形成することと、前記機器筐体および前記カバー部材の溝条の両方に嵌め込まれるように前記防水パッキンを配置することとよりなることを特徴とする電子機器の防水方法。
【請求項２】
前記防水パッキンは、予め前記カバー部材の溝条に圧入固定されることを特徴とする請求項１に記載の電子機器の防水方法。
【請求項３】
前記防水パッキンは、予め前記機器筐体の溝条に圧入固定されることを特徴とする請求項１に記載の電子機器の防水方法。
【請求項４】
内部に電子回路等が収容されると共に開口部を有する機器筐体と、該機器筐体の前記開口部に配置されて該開口部を閉塞するカバー部材と、該カバー部材および前記機器筐体間の当接部を互いに密封するための略リング状の防水パッキンとを有する電子機器の防水装置において、
前記防水パッキンは、比較的幅の広い基部および該基部から突出すると共に前記基部より幅の狭い突出部を有し、前記機器筐体および前記カバー部材の対応位置に形成された溝条に圧入固定されることを特徴とする電子機器の防水装置。
【請求項５】
前記防水パッキンの前記基部は、前記機器筐体の溝条に圧入固定されることを特徴とする請求項４に記載の電子機器の防水装置。
【請求項６】
前記防水パッキンは、前記機器筐体の前記溝条に圧入固定されることを特徴とする請求項４に記載の電子機器の防水装置。
【請求項７】
前記カバーは、一端に設けられたヒンジにより前記機器筐体と一体に形成され、前記カバー部材を前記機器筐体に対して開閉可能に形成することを特徴とする請求項４、５又は６に記載の電子機器の防水装置。
【発明の詳細な説明】
【技術分野】
【０００１】
本発明は電子機器に関し、特に携帯電話基地局等の如く屋外に設置される通信機器等に好適な電子機器の防水方法および装置に関する。
【背景技術】
【０００２】
電子機器の中には、それらの使用目的から常時屋外に設置されて使用されるものもある。例えば、携帯電話システムでは、ユーザが携帯する携帯電話端末と直接無線により通信可能にする、比較的サービスエリアの狭い多数の無線基地局を、それらのサービスエリアが部分的にオーバーラップするように設けられている。そして、ユーザが携帯する携帯電話端末を少なくとも１つの最寄の基地局が交信し、ユーザの移動を追跡することにより、斯かる基地局を介して他の携帯電話端末又は固定電話端末と常時交信を可能にする。
【０００３】
そこで、携帯電話端末との通信を中継する多数の基地局が、網の目のように配置されることとなる。斯かる基地局の一部は屋内に設置されるが、大部分は電柱等の屋外に設置されることとなる。屋外で使用される斯かる電子機器は、真夏の直射日光に曝されて高温になると共に、寒冷地では零下十数度以下の低温に曝される。また、台風その他の風雨にも曝されるので、優れた耐候性を有する、即ち防水構造とする必要がある。
【０００４】
斯かる屋外使用を可能にする通信機器等の電子機器の従来技術は、種々の文献に開示されている。通信機器を収容する略矩形状のケースの外周に沿ってカバーとの接合面に溝を設け、その溝にリング状のパッキンを配置してケースをカバーで密閉する通信機器筐体の防水構造が開示されている（例えば、特許文献１参照。）。
【０００５】
また、筐体を構成する第１ケースおよび第２ケース間に断面が略Ｌ字状のパッキンを介在させて水の侵入を２重に防止する業務用携帯無線機等の筐体の防水構造が開示されている（例えば、特許文献２参照。）。更に、断面が略Ｕ又はコ字状のケース本体の上端内側を外側外周より低くして、パッキンを介在させて上蓋を締め付ける防水機能を有する電子機器が開示されている（例えば、特許文献３参照。）。
【０００６】
【特許文献１】実開昭５８−１８４８８０号公報（第３頁、図１、図２）
【特許文献２】特開２００１−８５８６８号公報（第４−５頁、第１図−第４図）
【特許文献３】特開昭５８−３１５９８号公報（第２頁、第２図、第３図）
【０００７】
図３および図４を参照して、第１従来例の電子機器用筐体の防水構造を説明する。図３（Ａ）は第１従来例の電子機器の主要部の部分断面図であり、図３（Ｂ）は（Ａ）の円Ｃで示す部分の詳細を示す拡大図である。図４は、図３に示す第１従来例の電子機器の課題を説明する図であり、図４（Ａ）は図３（Ａ）に対応する主要部の部分断面図、図４（Ｂ）は（Ａ）の円Ｄで示す部分の詳細を示す拡大図である。
【０００８】
図３および図４において、電子機器２０は、内部に各種電子回路等（図示せず）を収容する機器筐体２１、その開口部２１ａを覆うカバー（又は蓋部材）２２およびカバー２２を機器筐体２１に締め付け固定するシリンダ錠２４により構成される。カバー２２には、機器筐体２１との当接部に溝条２２ａが形成されている。この溝条２２ａには、弾性を有する防水パッキン（又はＯリング）２３が挿入配置されている。この防水パッキン２３は、通常（又は正常）状態では、溝条２２ａから部分的に外部に突出して機器筐体２１の当接面に加圧接触する接触部２３ａを有するので、機器筐体２１の開口部２１ａは、防水パッキン２３により閉鎖され内部に雨水等が侵入するのを阻止して、内部の電子回路等を効果的に保護する。
【０００９】
しかし、図４（Ａ）および（Ｂ）に示す如く、カバー２２に反り等の変形が生じると、機器筐体２１とカバー２２間に間隙５が生じ、機器筐体２１の開口部２１ａが完全に閉鎖されず、外部から機器筐体２１の内部に雨水等が侵入し、内部の電子回路等に動作異常又は特性変化を生じる虞がある。
【００１０】
一方、図５に示す第２従来例の電子機器５０の主要部の断面図である。この電子機器５０は、略同様構成の筐体５１およびカバー５２により構成される。これら筐体５１およびカバー５２の外方へ延出する当接部に形成された２個の溝条５３、５６にそれぞれ防水パッキン５４および吸水体５５が配置されている。これら筐体５１およびカバー５２は、ネジ５７により相互に締め付け固定され、電子回路等（図示せず）を収容する内部への雨水等の侵入を阻止している。
【発明の開示】
【発明が解決しようとする課題】
【００１１】
しかしながら、上述の如き従来の電子機器では、防水パッキンを十分な圧力で圧縮することが防水性を発揮又は維持するための条件である。このため、例えばシリンダ錠等による締め付け力が弱い場合、機器筐体やカバーの製造段階で発生する寸法のばらつき（製造公差）等が予測（設計値）以上に大きい場合、機器内の温度と外気の温度が短時間で急激に変化する際に発生する圧力変化に伴ってカバーが変形する場合又は電子機器の気密性を確認するために行う加圧（正圧）試験で発生する機器の変形（特に、シリンダ錠の締め付け作用が働きにくいカバーの両端部分の変位が大きい）場合には、防水パッキン自体が、意図した圧縮代を確保できず、所要の接触圧を保持できず、十分な防水性が得られない虞がある。この場合には、図４（Ｂ）に示す如く、機器筐体およびカバー間に間隙が生じて筐体内部への浸水を許し、その結果、内部に実装された電子部品および電子回路等を破壊する事故を引き起こす虞があった。
【００１２】
他方、図５に示す第２従来例の場合には、機器筐体の外側に配置した防水パッキンの装着個所より機器筐体の内側に位置させ、防水パッキンより弾性収縮代を大きく設定してある吸水体をカバーおよび機器筐体間に挟装させて、２つの部材で防水するには、構成部品が多くなり且つ全体的な寸法（容積）も大きくなり、小型軽量化が困難であるという課題を有する。また、筐体とカバーの接合面の外周を複数のネジ等で締め付けるので、作業性および保守サービス性に欠けるという課題があった。
【００１３】
本発明は従来技術の上述した事情に鑑みなされたもので、その目的とするところは、不測の事態として、防水パッキン部分を抜けて、浸入する僅かな水も、電子部品や電子回路等に影響を与えない小型且つ軽量の通信機器等の電子機器の防水方法および装置を提供することを主要目的とする。
【課題を解決するための手段】
【００１４】
前述の課題を解決するため本発明による電子機器の防水方法および装置は次のような特徴的な構成を採用している。
【００１５】
（１）内部に電子回路等を収容すると共に開口部を有する機器筐体の前記開口部を、略リング状の防水パッキンを介してカバー部材で閉塞して前記機器筐体の内部への水の侵入を防止する電子機器の防水方法において、
前記機器筐体の前記開口部の外側に溝条を形成することと、該溝条に略対応する前記カバー部材の位置に別の溝条を形成することと、前記機器筐体および前記カバー部材の溝条の両方に嵌め込まれるように前記防水パッキンを配置することとよりなる電子機器の防水方法。
【００１６】
（２）前記防水パッキンは、予め前記カバー部材の溝条に圧入固定される上記（１）の電子機器の防水方法。
【００１７】
（３）前記防水パッキンは、予め前記機器筐体の溝条に圧入固定される上記（１）の電子機器の防水方法。
【００１８】
（４）内部に電子回路等が収容されると共に開口部を有する機器筐体と、該機器筐体の前記開口部に配置されて該開口部を閉塞するカバー部材と、該カバー部材および前記機器筐体間の当接部を互いに密封するための略リング状の防水パッキンとを有する電子機器の防水装置において、
前記防水パッキンは、比較的幅の広い基部および該基部から突出すると共に前記基部より幅の狭い突出部を有し、前記機器筐体および前記カバー部材の対応位置に形成された溝条に圧入固定される電子機器の防水装置。
【００１９】
（５）前記防水パッキンの前記基部は、前記機器筐体の溝条に圧入固定される上記（４）の電子機器の防水装置。
【００２０】
（６）前記防水パッキンは、前記機器筐体の前記溝条に圧入固定される上記（４）の電子機器の防水装置。
【００２１】
（７）前記カバーは、一端に設けられたヒンジにより前記機器筐体と一体に形成され、前記カバー部材を前記機器筐体に対して開閉可能に形成する上記（４）、（５）又は（６）の電子機器の防水装置。
【発明の効果】
【００２２】
本発明の電子機器の防水方法および装置によると、次の如き実用上の顕著な効果が得られる。即ち、防水パッキンは、機器筐体およびカバー部材の両方の対応位置に形成された溝条に嵌め込まれるので、カバー部材や機器筐体に多少の反り、変形又は寸法誤差があっても、防水性を維持することが可能である。また、防水パッキンは、予めカバー部材又は機器筐体の溝条に圧入固定しているので、取り扱い作業性が優れ、必要に応じて容易に交換が可能である。更に、少ない部品を使用して、小型軽量に構成可能であるので、屋外配置の携帯電話の基地局等の通信機器に好適である。
【実施例１】
【００２３】
次に、本発明による電子機器の防水方法および装置の好適実施例の構成および動作を、添付図面を参照して詳細に説明する。
【００２４】
先ず、図１は、本発明による電子機器の防水装置の第1実施例の説明図である。図１（Ａ）は電子機器の防水装置１０の主要部の部分断面図、（Ｂ）は（Ａ）の円Ａで示す部分の詳細を示す拡大図、（Ｃ）は防水パッキンおよびそれに関連する部分の説明図である。
【００２５】
図１に示す第１実施例は、機器筐体１１、その開口部１１ａの周縁を包囲するカバー部材（以下、単にカバーという）１２およびこのカバー１２を機器筐体１１に押圧するシリンダ錠１４により構成される。カバー１２の内面には、その周縁に沿って溝条１２ａが形成され、この溝条１２ａには十分な弾性を有する、例えばゴム等で形成された略リング状の防水パッキン１３が嵌め込まれている。図１（Ｂ）および（Ｃ）に最もよく示す如く、防水パッキン１３は、略凸字状の断面を有する。
【００２６】
一方、機器筐体１１の開口部１１ａの外側であってカバー１２との当接面には、カバー１２の溝条１２ａとの対応位置にカバー１２の溝条１２ａと比較して幅の狭い溝条１１ｂが形成されている。更に、カバー１２は、シリンダ錠１４を備え、シリンダ錠固定板１４ａで機器筐体１１のシリンダ錠固定受け部１１ｃを挟み込んで接触押圧するように構成されている。
【００２７】
次に、図１（Ｂ）を参照して機器筐体１１の開口部１１ａにカバー１２を取り付け、機器筐体１１の開口部１１ａをカバー１３で閉塞して防水構造とする状態を説明する。防水パッキン１３は、上述した如く比較的大きい基部１３ａおよびこの基部１３ａから突出する比較的小さい突出部１３ｂが略凸字状にゴム等の弾性部材により一体形成されている。防水パッキン１３の基部１３ａはカバー１２の溝条１２ａに圧入固定されている。従って、カバー１２をシリンダ錠１４により機器筐体１１の開口部１１ａに配置固定すると、カバー１２の内面は機器筐体１１の開口部１１ａの外側を覆う。この状態で、防水パッキン１３の突出部１３ｂは、機器筐体１１の開口部１１ａの外周部に形成された溝条１１ｂに嵌め込まれるので、機器筐体１１の開口部１１ａの周縁を２段階で密閉して外部からの浸水を防止する。
【００２８】
図１（Ｃ）を参照して、防水パッキン１３に関連する部分の詳細構成を説明する。図１（Ｃ）は、防水パッキン１３、機器筐体１１の溝条１１ｂおよびカバー１２の溝条１２ａの詳細関係を示している。防水パッキン１３は、その基部１３ａをカバー１２の溝条１２ａが圧入固定される。防水パッキン１３は、必要に応じてカバー１２の溝条１２ａ内に適当な接着剤で被着固定してもよい。更に、防水パッキン１３の突出部１３ｂは、機器筐体１１の溝条１１ｂ内に圧縮挿入される。
【００２９】
ここで、カバー１２の溝条１２ａの高さをＡ、防水パッキン１３が無負荷状態の時の基部１３ａおよび突出部１３ｂの寸法（厚さ）をそれぞれＢおよびＣ、更に、機器筐体１１の溝条１１ｂの高さをＤと仮定する。この場合に、Ａ＝Ｄ、Ａ＝１.２Ｂ、Ｄ＝１.３Ｃとなるような寸法関係に設定する。この場合には、防水パッキン１３の第１接触部である基部１３ａが第２接触部である突出部１３ｂよりも防水パッキン１３の潰し代を多くとっていることになる。防水パッキン１３の潰し量（圧縮代）は製造公差の積み上げにより決められる（設計する）が、ここでは、防水パッキン１３の圧縮率（量）を２０％確保する場合で説明する。
【００３０】
防水パッキン１３の基部１３ａは、通常の製造状態では十分な圧縮率（量）が確保されるが、製造公差が防水パッキン１３の圧縮率（量）と同じ２０％を超えた場合や不測の事態では、圧縮量は“０”又は“−”（すき間があく）となってしまい防水ができなくなり、外部からの水の侵入を生じる。しかし、こうした場合でも、突出部１３ｂの防水パッキン１３の潰し量（圧縮代）を更に大きく（例えば、３０％）とることで、突出部１３ｂが確実に接合するので水の侵入を防止できる。
【００３１】
次に、図２を参照して、機器筐体１１とカバー１２間に反り又は変形が生じた場合を説明する。図２（Ａ）は斯かる場合の機器筐体１１およびカバー１２の部分断面図を示し、（Ｂ）は図２（Ａ）中の円Ｂに示す防水パッキン１３を含む部分の詳細構成を示す拡大図である。
【００３２】
本発明の電子機器の防水装置１０によると、基部１３ａが接触されなくても突出部１３ｂが接触して防水を確保する状態を示す。即ち、図２（Ｂ）に示す如く、機器筐体１１とカバー１２間に間隙１５が生じても、防水パッキン１３の基部１３ａは、通常状態で機器筐体１１の当接面から受ける圧縮力がないので、カバー１２の内面から一部分が外方へ突出する。更に、防水パッキン１３の突出部１３ｂも伸びるので、その先端部分は機器筐体１１の溝条１１ｂ内に留まる。この防水パッキン１３は、略リング状であるので、機器筐体１１の開口部１１ａの全周は、カバー１２および防水パッキン１３により包囲され、機器筐体１１内部の防水性は維持される。
【００３３】
次に、他の実施例又は変形例について説明する。上述した好適実施例にあっては、防水パッキンをカバーの溝条に圧入固定しているが、用途に応じて又は作業性その他の条件を考慮して機器筐体側の溝条に圧入固定してもよい。また、カバーは、機器筐体と別体に構成する必然性はなく、必要に応じてカバーはヒンジ等により機器筐体と開閉可能な一体構成としてもよい。
【００３４】
以上、本発明による電子機器の防水方法および装置の好適実施例の構成および動作を詳述した。しかし、斯かる実施例は、本発明の単なる例示に過ぎず、何ら本発明を限定するものではないことに留意されたい。本発明の要旨を逸脱することなく、特定用途に応じて種々の変形変更が可能であること、当業者には容易に理解できよう。
【図面の簡単な説明】
【００３５】
【図１】本発明による電子機器の防水装置の好適実施例を示し、（Ａ）は機器筐体およびカバーの主要部の部分断面図、（Ｂ）は（Ａ）中の円Ａで示す部分の詳細構成を示す拡大図、（Ｃ）は防水パッキン、カバーおよび機器筐体の関係を示す部分説明図である。
【図２】図１に示す本発明による電子機器の防水装置の防水パッキンの作用を説明する図であり、（Ａ）はカバーに反り等の変形が生じた場合の機器筐体とカバーの部分断面図、（Ｂ）は（Ａ）の円Ｂで示す部分の拡大図である。
【図３】電子機器の防水装置の第１従来例を示し、（Ａ）は正常状態の機器筐体、カバーおよび防水パッキンの関係を示す部分断面図、（Ｂ）は（Ａ）の円Ｃで示す部分の拡大図である。
【図４】図３に示す従来の電子機器の防水装置のカバーに反り等が生じた場合の部分断面図、（Ｂ）は（Ａ）の円Ｄで示す部分の拡大図である。
【図５】電子機器の防水装置の第２従来例の部分断面図である。
【符号の説明】
【００３６】
１０    電子機器の防水装置
１１    機器筐体
１１ａ  開口部
１１ｂ  溝条
１１ｃ  シリンダ錠固定板受け部
１２    カバー部材
１２a  溝条
１３    防水パッキン
１３a  基部
１３b  突起部
１４    シリンダ錠
【図１】
2005268588.tif 000003
【図２】
2005268588.tif 000004
【図３】
2005268588.tif 000005
【図４】
2005268588.tif 000006
【図５】
2005268588.tif 000007